(57)【特許請求の範囲】
【請求項１】
開扉時に壁の引戸取付用開口部（Ｐ）から壁内に収納される自閉式の引戸（１）を開扉位置に保持すべく、引戸（１）に設けられた被保持部（１８）を開扉時に壁内において保持する保持部（１５）を備えた引戸の停止装置において、ハンガーレール（４）等の固定部における引戸取付用開口部（Ｐ）に表出した部分に取付可能な取付部（１３）を備え、取付状態において保持部（１５）が壁内に位置するように、取付部（１３）から開扉方向に向けて延長腕部（１４）を延設し、該延長腕部（１４）に保持部（１５）を備えたことを特徴とする引戸の停止装置。
【請求項２】
開扉時に壁の引戸取付用開口部（Ｐ）から壁内に収納される引戸（１）の全開時における衝撃を緩和すべく、引戸（１）に設けられた当て部（２１）が全開時に壁内において衝突する緩衝部（２０）を備えた引戸の戸当たり装置において、ハンガーレール（４）等の固定部における引戸取付用開口部（Ｐ）に表出した部分に取付可能な取付部（１３）を備え、取付状態において緩衝部（２０）が壁内に位置するように、取付部（１３）から開扉方向に向けて延長腕部（１４）を延設し、該延長腕部（１４）に緩衝部（２０）を備えたことを特徴とする引戸の戸当たり装置。
【発明の詳細な説明】
【０００１】
【発明の属する技術分野】
本発明は、自閉式の引戸を開扉位置に保持する引戸の停止装置、及び、引戸の全開時の衝撃を緩和する引戸の戸当たり装置に関し、特に、開扉時に壁内に収納されるタイプの引戸に使用される引戸の停止装置及び引戸の戸当たり装置に関する。
【０００２】
【従来の技術】
一般に、引戸は、開扉時に壁の外部に位置するタイプと、開扉時に壁内に収納されて見えなくなるタイプとに大別される。そして、後者の場合には、引戸を吊下支持するハンガーレールは、その開き側（戸尻側）略半分が壁内に隠れるように配設され、閉じ側（戸先側）略半分は、壁に引戸のサイズに対応して開設された引戸取付用開口部に表出するようにその開口部上部に配設される。尚、引戸取付用開口部の上部には着脱自在な蓋体が設けられており、ハンガーレールの閉じ側略半分は蓋体の内側に位置し、メンテナンス等を行う際には、この蓋体を開けて行われる。
【０００３】
一方、引戸が、手動開扉時に蓄積されたエネルギーにより自動閉扉する、いわゆる自閉式の引戸である場合、引戸を開扉位置で保持する停止装置が用いられることがある。従来の引戸の停止装置は、例えば、特開平８−２１８７２７号公報所載のようにハンガーレールの開き側端部に取り付けられる構成となっており、引戸が全開位置まで開くと、停止装置が引戸の所定部位、例えば、引戸の上部に取り付けられた戸車等、を保持するよう構成されている。この停止装置が引戸の所定部位を保持することにより、引戸の閉じ側への復帰力に抗して引戸を全開位置に保持することができる。
【０００４】
【発明が解決しようとする課題】
しかるに、引戸が壁内に収納されるタイプの場合、ハンガーレールの開き側端部に装着された停止装置は壁内に位置しているため、停止装置に故障等の不具合が生じた場合に作業面での問題があった。
【０００５】
即ち、停止装置を調整、交換等する場合には、引戸取付用開口部の上部に位置する蓋体を外し、そこからハンガーレールを壁から引き出すようにして取り外し、ハンガーレールと共に停止装置を壁内から取り出していた。そして、調整や交換等の作業が終了すると、再びハンガーレールを元の状態に戻す必要があった。
【０００６】
このように、従来、壁内に収納される引戸に用いられる停止装置は、ハンガーレールの開き側端部に装着されて壁の引戸取付用開口部からは直接取付取り外しできない構成であったので、停止装置の取り外し等の際にその都度ハンガーレールを取り外し取り付ける必要があって作業負担が大きいという問題があったのである。
【０００７】
かかる作業面での問題は、引戸の停止装置のみならず、ハンガーレールの開き側端部に装着されて壁内に位置する引戸の戸当たり装置においても同様であった。
【０００８】
それゆえに本発明は、上記従来の問題点に鑑みてなされ、壁内に収納される引戸に適応可能で且つ、メンテナンスが容易な引戸の停止装置及び引戸の戸当たり装置を提供することを課題とする。
【０００９】
【課題を解決するための手段】
本発明は、上記課題を解決すべくなされたものであり、本発明に係る引戸の停止装置は、開扉時に壁の引戸取付用開口部から壁内に収納される自閉式の引戸を開扉位置に保持すべく、引戸に設けられた被保持部を開扉時に壁内において保持する保持部を備えた引戸の停止装置において、ハンガーレール等の固定部における引戸取付用開口部に表出した部分に取付可能な取付部を備え、取付状態において保持部が壁内に位置するように、取付部から開扉方向に向けて延長腕部を延設し、該延長腕部に保持部を備えたことを特徴とする。
尚、自閉式の引戸とは、手動開扉時に蓄積されたエネルギーにより自動閉扉する引戸をいう。また、ハンガーレールとは、引戸を直線的に開閉可能に吊下支持する部材であって引戸の開閉方向に沿って固定配設されるものである。
【００１０】
また、本発明に係る引戸の戸当たり装置は、開扉時に壁の引戸取付用開口部から壁内に収納される引戸の全開時における衝撃を緩和すべく、引戸に設けられた当て部が全開時に壁内において衝突する緩衝部を備えた引戸の戸当たり装置において、ハンガーレール等の固定部における引戸取付用開口部に表出した部分に取付可能な取付部を備え、取付状態において緩衝部が壁内に位置するように、取付部から開扉方向に向けて延長腕部を延設し、該延長腕部に緩衝部を備えたことを特徴とする。
【００１１】
このように、引戸取付用開口部に表出した部分に取付可能な取付部を備えているので、引戸取付用開口部から直接装置の取付、取り外し作業を行うことができる。このように、ハンガーレール等の固定部をその都度取り外すことなく、装置のみを引戸取付用開口部から取付、取り外しできる。
【００１２】
また、開扉方向に向けて延長腕部が延設され、該延長腕部に保持部や緩衝部が設けられているので、取付部が引戸取付用開口部に表出していても、取付状態において保持部や緩衝部を壁内に位置させることができる。従って、引戸を壁内で開扉位置に保持したり、壁内においてその衝撃を緩和できる。
【００１３】
【発明の実施の形態】
以下、本発明の一実施形態について図１乃至図７を参酌しつつ、開扉時に壁内に収納される引戸１を吊下支持すべく閉じ側が壁内に位置し且つ開き側が壁の引戸取付用開口部Ｐに表出するように配設されたハンガーレール４に取り付けられて使用される、引戸の停止装置及び引戸の戸当たり装置について説明する。
【００１４】
図１及び図２は、引戸施工箇所を概略的に透視的に示し、図１は全閉状態を、図２は全開状態をそれぞれ示しており、引戸１は右引き用のものである。尚、二点鎖線Ｃより図上右側は壁であり、実際は外部からは見えない。そして、壁に形成された引戸取付用開口部Ｐは、二点鎖線Ｃから図上左側であって、引戸取付枠２と二点鎖線Ｃによって囲まれた領域である。この引戸取付枠２は、閉じ側柱部２ａと開き側柱部２ｂ、及び、両柱部２ａ，２ｂの上下端部をそれぞれ水平方向に連結する上梁部２ｃと下梁部（図示せず）とから構成されている。従って、矩形状の引戸取付枠２の開き側略半分、即ち、開き側柱部２ａと上下梁部２ｃの開き側略半分は壁内に位置している。尚、図示しないが壁内には戸袋が形成されており、戸袋に引戸１が収納される。
【００１５】
また、引戸取付枠２の上部には、両柱部２ａ，２ｂの上端部と上梁部２ｃとに連結されるようにレール取付プレート３が固定配設されている。該レール取付プレート３の手前側に、引戸１を直線的に開閉可能に吊下支持するハンガーレール４がネジ止めされている。尚、レール取付プレート３及びハンガーレール４の開き側略半分も壁内にあって外部からはその様子が実際には確認できない。また、逆に、レール取付プレート３及びハンガーレール４の閉じ側略半分は引戸取付用開口部Ｐに表出しているが、引戸取付用開口部Ｐの上部には、図１に二点鎖線で示すように着脱自在な蓋体５が目隠しとして設けられている。従って、通常はレール取付プレート３及びハンガーレール４の閉じ側略半分は蓋体５の内側に位置し、メンテナンス等を行う際には、この蓋体５を開けて行われる。
【００１６】
また、引戸１の上面には、前後一対の戸車６が各々取付ベース７を介して取り付けられている。そして、引戸１は、図３のように、前後一対の戸車６が断面視略Ｌ字状のハンガーレール４における戸車レール部９上を走行することで開閉可能となっている。また、ハンガーレール４を右上がりの傾斜状態に固定配設することで、引戸１はその自重により左側に向かって自閉する。尚、自閉させる手段としては、このようにハンガーレール４を傾斜させる以外に、ゼンマイバネや錘を用いることも可能である。
【００１７】
尚、図３のように、ハンガーレール４には、戸車レール部９の奥側に平行に上面に開口したガイドレール部１０が形成されており、該ガイドレール部１０には図１及び図２に示すようにラック１１が挿入固定されている。そして、該ラック１１に噛合可能なピニオンを有する引戸制動装置１２が前記戸車６の取付ベース７にネジ止めされている。閉扉時に引戸制動装置１２のピニオンがラック１１に噛合することで引戸１の閉じ速度が減少される。
【００１８】
ところで、上述のように、ハンガーレール４の閉じ側略半分は引戸取付用開口部Ｐに表出しているが、ハンガーレール４の表出した部分に引戸の停止装置Ｑが取り付けられている。具体的には、ハンガーレール４の表出部分の壁際の位置（二点鎖線Ｃの近傍位置）に、その取付部がネジ止めにより着脱可能に取り付けられている。
【００１９】
該停止装置Ｑは、左右一対の取付部としての取付板１３，１３と、該取付板１３の上端部を連結し且つ右側の取付板１３から更に右側（開扉方向）に向けて延設された延長腕部１４と、該延長腕部１４の先端部に取り付けられて引戸１の被保持部を開扉時に壁内において保持する保持部１５とを備えている。取付板１３のハンガーレール４への取付について更に説明すると、ハンガーレール４のガイドレール部１０には、図３のように板状の固定具１６が挿入されている。該固定具１６には、ネジ孔が設けられており、ネジ孔に六角ボルト１７を上方からねじ込むことで、図３のように、ガイドレール部１０の上面に取付板１３の下端部をボルト１７で固定する構成となっている。二箇所の取付板１３，１３は同一の構成である。
更に、本実施形態では、延長腕部１４と取付板１３が分離可能に構成されている。即ち、取付板１３の上端部に延長腕部１４が手前側からネジ止めされて固定されており、ネジの脱着により、延長腕部１４を取付板１３から分離、一体化できる。
【００２０】
一方、該延長腕部１４の先端部に取り付けられた保持部１５は、引戸１の閉じ側の戸車６の取付ベース７に上方に向けて突設された被保持部としてのピン１８を保持できる構成となっている。即ち、図４及び図５のように、保持部１５は、ピン１８を係止する回動可能なフック１５ａと、該フック１５ａの回動動作に負荷を与えるコイルバネ１５ｂと、フック１５ａ及びコイルバネ１５ｂが取り付けられて延長腕部１４にネジ止めされる本体部１５ｃとを備える。
【００２１】
フック１５ａは、図４（ａ）のように閉じ側を向いた状態と、図４（ｃ）のように開き側を向いた状態との間を回動可能になっており、一方の状態から他方の状態へと回動して変化する間は、フック１５ａに取り付けられたコイルバネ１５ｂの一端部がフック１５ａと共に回動してコイルバネ１５ｂが伸長することとなる。従って、コイルバネ１５ｂはフック１５ａの各々の状態を保持するように、フック１５ａを付勢する。
【００２２】
そして、開扉時にピン１８がフック１５ａに当接し、手動による開扉の力がピン１８を介してフック１５ａに作用すると、その力によってフック１５ａがコイルバネ１５ｂのバネ力に抗して回動して図４（ｃ）の状態となる。図４（ｃ）及び図５（ｃ）の状態においても、フック１５ａはコイルバネ１５ｂに付勢されてその状態を保持しているので、引戸１の閉扉方向への閉じ力により、図５（ｃ）に二点鎖線にて示すように、開き側を向いたフック１５ａにピン１８が当接しても、閉じ力よりもコイルバネ１５ｂのバネ力が勝っているので、フック１５ａはその状態を維持し、ピン１８のそれ以上の閉じ側への移動が阻止される。従って、引戸１は全開位置に保持される。
【００２３】
また、手で引戸１に閉扉方向の力を作用させると、その力がピン１８を介してフック１５ａに作用する。その結果、コイルバネ１５ｂのバネ力に抗してフック１５ａが逆方向に回動し、フック１５ａによるピン１８の規制が解除され、その後は引戸１はその自重により自閉する。
【００２４】
かかる保持部１５は、延長腕部１４の先端部に取り付けられていて、取付板１３をハンガーレール４に取り付けた状態では、保持部１５が二点鎖線Ｃを越えて壁の戸袋内に位置する。従って、引戸１を壁内において保持することができ、壁内に収納される引戸１に対応させることができる。
【００２５】
その一方、取付板１３は、ハンガーレール４の表出部分に取り付けられるので、従来のようにハンガーレール４を取り外すことなく、停止装置Ｑのみをハンガーレール４から取り外して停止装置Ｑの交換や調整を引戸取付用開口部Ｐから直接行うことができる。
【００２６】
しかも、延長腕部１４が取付板１３から分離可能であるので、延長腕部１４を取付板１３から分離させてその先端部に位置する保持部１５を壁内から引戸取付用開口部Ｐに表出させることもできる。このように、延長腕部１４と保持部１５のみを取り外せば、停止装置Ｑの取付位置が狂うことがない。
【００２７】
以上、引戸の停止装置Ｑについて説明したが、引戸の戸当たり装置Ｒについても同様の構成である。即ち、図６及び図７に引戸の戸当たり装置Ｒの一例を示しているが、該実施形態では、上述した引戸の停止装置Ｑにおける保持部１５に代えて緩衝部としてのゴム体２０を延長腕部１４の先端部に取り付けている。その他の構成は同一である。尚、上述したピン１８に代えて、戸車６の取付ベース７には、当て部として、平面視略Ｌ字状の当て板２１がネジ止めされている。
【００２８】
そして、保持部１５と同様に、取付状態においてゴム体２０は壁内に位置することとなり、図６及び図７のように、引戸１の全開時に当て板２１がゴム体２０に壁内で衝突し、その際の衝撃が緩和される。
【００２９】
以上のように、引戸取付用開口部Ｐから停止装置Ｑや戸当たり装置Ｒの取付取り外し作業を直接行えるので、そのメンテナンス性が従来に比して大幅に向上されるのである。特に、取付板１３と延長腕部１４とを分離可能に構成すれば、取付板１３をガイドレール部１０（ハンガーレール４）から外す必要がないのでより一層手間が省け作業が楽になる。
【００３０】
また、固定具１６がガイドレール部１０に挿入される構成で、ガイドレール部１０内を固定具１６がスライド可能であるので、取付位置の微調整も容易である。
【００３１】
尚、停止装置Ｑや戸当たり装置Ｒの構成は本発明の意図する範囲内で適宜設計変更可能であり、ハンガーレール４以外の固定部、例えば、レール取付プレート３に取り付ける構成としてもよい。
【００３２】
【発明の効果】
以上のように、壁に開口する引戸取付用開口部から取付取り外し作業を行うことができるので、従来のようにその都度ハンガーレールを取り外したりする必要がなくなってメンテナンスが容易となる。
【図面の簡単な説明】
【図１】本発明の一実施形態における引戸の停止装置の使用状態を示す概略図。
【図２】本発明の一実施形態における引戸の停止装置の使用状態を示す概略図。
【図３】同引戸の停止装置の使用状態を示す断面図。
【図４】同装置の使用状態を示す平面図で、（ａ）は開扉中を示し、（ｂ）は全開直前の状態を示し、（ｃ）は全開状態を示す。
【図５】図４に対応した正面図であり、（ａ）は開扉中を、（ｂ）は全開直前の状態を、（ｃ）は全開状態を、それぞれ示す。
【図６】引戸の戸当たり装置の使用状態を示す平面図で、（ａ）は開扉中を示し、（ｂ）は全開直前の状態を示し、（ｃ）は全開状態を示す。
【図７】図６に対応した正面図であり、（ａ）は開扉中を、（ｂ）は全開直前の状態を、（ｃ）は全開状態を、それぞれ示す。
【符号の説明】
Ｐ…引戸取付用開口部、Ｑ…引戸の停止装置、Ｒ…引戸の戸当たり装置、１…引戸、２…引戸取付枠、３…レール取付プレート、４…ハンガーレール、５…蓋体、６…戸車、７…取付ベース、９…戸車レール部、１０…ガイドレール部、１１…ラック、１２…引戸制動装置、１３…取付板（取付部）、１４…延長腕部、１５…保持部、１５ａ…フック、１５ｂ…コイルバネ、１５ｃ…本体部、１６…固定具、１７…ボルト、１８…ピン（被保持部）、２０…ゴム体（緩衝部）、２１…当て板（当て部）
【図１】
0003678987.tif 000002
【図２】
0003678987.tif 000003
【図３】
0003678987.tif 000004
【図４】
0003678987.tif 000005
【図５】
0003678987.tif 000006
【図６】
0003678987.tif 000007
【図７】
0003678987.tif 000008